(57)【要約】【課題】電極棒先端への接触による感電の危険性を解消した放電式肉盛り装置を提供する。【解決手段】電極棒１０７先端と肉盛り対象部Ｏの表面との間に放電を生じさせ、電極棒材をＯの表面に転移させるもので、モータ１１０により電極棒１０７に連続的な回転を付与し、電極棒接触検知回路１１７により電極棒１０７先端の、金属ワークＷへの接触または非接触を検知し、リレー回路（フォトカプラ１１９，駆動・非駆動信号送出回路１２０）により、接触検知のときはサイリスタ制御回路１０８にサイリスタ１０６への制御信号出力を開始させ、非接触検知のときはサイリスタ制御回路１０８にサイリスタ１０６への制御信号出力を停止させる指令信号を出力する。【選択図】　　図１
2004105979.tif 000002
【特許請求の範囲】
【請求項１】
電極棒先端とグランド電位に付勢された金属ワークの肉盛り対象部表面との間に放電を生じさせ、電極棒材を前記肉盛り対象部表面に転移させる放電式肉盛り装置において、
アーク用直流電源端子と、
前記アーク用直流電源端子と前記電極棒との間に設けられた半導体スイッチと、
前記半導体スイッチの制御端子にオン・オフ信号を出力する半導体スイッチ制御回路と、
前記電極棒先端に連続的な振動を生じさせまたは前記電極棒に連続的な回転を付与する電極棒駆動装置と、
前記電極棒先端の、前記金属ワークへの接触または非接触を検知する電極棒接触検知回路と、
前記電極棒接触検知回路が、前記電極棒先端の前記金属ワークへの接触を検知したときは、前記半導体スイッチ制御回路に、前記半導体スイッチへの制御信号出力を開始させ、前記電極棒先端の前記金属ワークへの非接触を検知したときは、前記半導体スイッチ制御回路に、前記半導体スイッチへの制御信号出力を停止させる指令信号を出力するリレー回路と、
を備えたことを特徴とする放電式肉盛り装置。
【請求項２】
前記半導体スイッチがサイリスタであることを特徴とする請求項１に記載の放電式肉盛り装置。
【請求項３】
前記電極棒に連続的な振動を生じさせる前記電極棒駆動装置が電磁コイル式バイブレータであり、さらに電磁コイル式バイブレータ駆動用直流電源端子と、前記電磁コイル式バイブレータを制御する電磁コイル式バイブレータ制御回路とを備えたことを特徴とする請求項１または２に記載の放電式肉盛り装置。
【請求項４】
前記電極棒に連続的な回転を付与する前記電極棒駆動装置がモータであり、さらに前記モータ駆動用直流電源端子と、前記モータを制御するするモータ制御回路とを備えたことを特徴と請求項１または２に記載の放電式肉盛り装置。
【請求項５】
前記リレー回路は、電極棒接触検知回路からの検知信号を入力するフォトカプラと、当該フォトカプラからの信号に基づく駆動信号を出力する駆動信号生成部とを有することを特徴とする請求項１から４の何れかに記載の放電式肉盛り装置。
【請求項６】
前記電極棒接触検知回路は、一方の端子が前記電極棒に接続され、他方の端子がグランドされた１対の端子を備え、両端子間に所定電圧を印加し、前記一方の端子と前記他方の端子との間を流れる電流を検出することで、前記電極棒先端の、前記金属ワークへの接触または非接触を検知することを特徴とする請求項１から５の何れかに記載の放電式肉盛り装置。
【請求項７】
前記電極棒接触検知回路は、グランドされた人体抵抗を介して取得した信号を、前記金属ワークへの非接触信号として検知することを特徴とする請求項１から６の何れか記載の放電式肉盛り装置。
【請求項８】
前記電極棒の先端に空気絶縁用の不活性ガスを供給する不活性ガス供給構造を備えたことを特徴とする請求項１から７の何れかに記載の放電式肉盛り装置。
【請求項９】
前記不活性ガス供給構造は、前記電極棒先端を残して当該電極棒と非接触状態で当該電極棒を包み込む筒体と、前記筒体内に前記不活性ガスを供給する不活性ガス供給部と、前記不活性ガスを前記筒体内から前記電極棒の先端に向けて排出する不活性ガス排出部と、
を含むことを特徴とする請求項８に記載の放電式肉盛り装置。
【請求項１０】
前記金属ワークをグランド電位に付勢する金属ワーク接地具を備えたことを特徴とする請求項１から９の何れかに記載の放電式肉盛り装置。
【請求項１１】
交流電力を入力する端子を備え、当該交流入力端子と、前記アーク用直流電源端子および／または前記電磁コイル式バイブレータ駆動用直流電源端子との間に、ＡＣ／ＤＣ変換器を備えたことを特徴とする請求項１から１０の何れかに記載の放電式肉盛り装置。
【請求項１２】
肉盛り装置本体とガンタイプのハンディアプリケータとを有し、当該ハンディアプリケータに、少なくとも、前記電極棒と前記不活性ガス供給構造と前記電極棒駆動装置とが内蔵されていることを特徴とする請求項１から１１の何れかに記載の放電式肉盛り装置。
【発明の詳細な説明】
【０００１】
【発明の属する技術分野】
本発明は、電極棒先端とグランド電位の金属ワークの肉盛り対象部表面との間に放電を生じさせ、電極棒材を前記肉盛り対象部表面に転移させる放電式肉盛り装置に関し、電極棒先端への接触による感電の危険性を解消ないし低減した放電式肉盛り装置に関する。
【０００２】
【従来の技術】
従来、射出成型やアルミニウムダイキャストに用いる金型は、使用に伴いキャビティ面が部分的に消耗するために、当該消耗部の補修が必要となる。また、金型製造時の加工ミスや、金型の設計変更などに伴い補修が必要となる。さらに、フイルム・ローラ、エンボス・ローラ等の各種印刷用ローラーの表面が金属部品の噛み込み等により欠損した場合にも、当該欠損部の補修が必要となる。
【０００３】
この種の補修を行なうための装置として、従来、放電式の肉盛り装置が知られている（本願出願人による、特許文献１、特許文献２参照）。この肉盛り装置では、電極棒先端と、肉盛り対象部表面との間に放電を生じさせ、電極棒材を肉盛り対象部分に転移させることで上記した消耗部や欠損部の補修を行なっている。
【０００４】
図４は、従来の肉盛り装置を示す回路図である。肉盛り装置８は、肉盛り装置本体Ａ′と、ガンタイプのハンディアプリケータ（肉盛り銃）Ｂ′とからなる。
図４の肉盛り装置では、商用交流電力をトランス８０１を介して所定電圧の交流電力に変換し（同一電圧に変換することもある）、当該交流電力を整流器８０２を介して直流電力に変換する。整流器８０２の後段には平滑コンデンサ８０３および抵抗８０４が接続され、さらに抵抗８０４の後段には、出力用コンデンサ８０５が接続されている。
出力用コンデンサ８０５に充電された電圧は、サイリスタ８０６、オペレータ保護用遮断器８０７を介して電極棒８０８に印加される。サイリスタ８０６の制御端子ｇには、制御回路８０９から所定周波数ｆａの制御信号（パルス）が供給され、電極棒８０８には当該周波数ｆａのパルス電圧が印加される。
【０００５】
一方、電極棒８０８は、モータ８１０に取り付けられている。整流器８１１は、トランス８０１からの交流電力を直流電力に変換し、これを平滑コンデンサ８１２を介してモータ駆動回路８１３に供給する。モータ駆動回路８１３は、設定された回転数でモータ８１０を駆動する。
肉盛り対象となる金属ワークＷはグランドされており、電極棒８０８の先端は回転した状態で金属ワークＷの、肉盛り対象部Ｏの表面との間での放電を生じさせる。この放電に際しては、不活性ガスボンベ８１４から、たとえば開閉信号により動作するバルブ８１５を介して不活性ガスが、ガンタイプのハンディアプリケータＢ′に供給される。ハンディアプリケータＢ′は、電極棒８０８の先端を残して、周囲を包み込む先端開口の筒体８１６を備えている。電極棒８０８先端と肉盛り対象部Ｏの表面との間での放電に際しては、この筒体８１６に送り込まれた不活性ガスは、当該筒体８１６の先端から放出され、電極棒８０８先端部分を空気から絶縁することができる。
【０００６】
ところで、電極棒８０８先端と肉盛り対象部Ｏの表面との間での放電が行なわれないと、コンデンサ８０５の充電電圧（サイリスタ８０６の出力電圧）が抵抗８０４、コンデンサ８０５の容量等により決まる時定数で上昇する。このため、ある程度時間、放電を行なわない場合において、オペレータが不注意により電極棒８０８に触れた場合、高電圧で感電することになる。
図４の肉盛り装置８では、サイリスタ８０６の出力電圧（この場合には電極棒８０８に印加される平均電圧Ｖｏ）が、オフ電圧Ｖｏｆｆ（ここでは９０Ｖ）になったか否かを出力電圧検出器８１７により検出している。出力電圧検出器８１７は、オフ電圧Ｖｏｆｆを検知すると、遮断器８０７をオフするとともに、警告灯８１８を点灯する。オペレータは、肉盛り操作を再開するときは、電極棒８０８の先端を肉盛り対象部Ｏに当ててリセットスイッチ８１９をオンする。これにより、リセット回路８２０が遮断器８０７をオンし、電極棒８０８に電力が再び供給される。
【０００７】
【特許文献１】
特許第２８６６５４８号公報
【特許文献２】
特許第２９３９０８３号公報
【０００８】
【発明が解決しようとする課題】
しかし、上記の図４の肉盛り装置８では、オフ電圧Ｖｏｆｆは電極棒８０８の放電電圧より高く設定する。すなわち、オフ電圧Ｖｏｆｆを、あまり低い値に設定することはできず、オペレータの安全を十分に確保することができないという問題がある。
本発明の目的は、電極棒が肉盛り対象に接触していないときは、電極棒に電力を供給しない放電式肉盛り装置を提供することにある。
本発明の他の目的は、電極棒先端への接触による感電の危険性を解消ないし低減した放電式肉盛り装置を提供することにある。
【０００９】
【課題を解決するための手段】
本発明の放電式肉盛り装置は、電極棒先端とグランド電位に付勢された金属ワークの肉盛り対象部表面との間に放電を生じさせ、電極棒材を前記肉盛り対象部表面に転移させるもので、アーク用直流電源端子と、前記アーク用直流電源端子と前記電極棒との間に設けられた半導体スイッチと、前記半導体スイッチの制御端子にオン・オフ信号を出力する半導体スイッチ制御回路と、前記電極棒先端に連続的な振動を生じさせまたは前記電極棒に連続的な回転を付与する電極棒駆動装置と、前記電極棒先端の、前記金属ワークへの接触または非接触を検知する電極棒接触検知回路と、前記電極棒接触検知回路が、前記電極棒先端の前記金属ワークへの接触を検知したときは、前記半導体スイッチ制御回路に、前記半導体スイッチへの制御信号出力を開始させ、前記電極棒先端の前記金属ワークへの非接触を検知したときは、前記半導体スイッチ制御回路に、前記半導体スイッチへの制御信号出力を停止させる指令信号を出力するリレー回路とを備えたことを特徴とする。
これにより、電力消費の節減を図ることができ、しかも電極棒先端への接触による感電の危険性を解消することができる。
なお、前記半導体スイッチとしてサイリスタを使用することもできるし、トランジスタスイッチを用いることもできる。半導体スイッチのパルス周波数には制限はなく、たとえば数十Ｈｚ〜数ｋＨｚとすることができる。また、半導体スイッチとしてサイリスタを使用した場合、半導体スイッチ制御回路は、例えば、後述するサイリスタ制御回路１０８となる。
【００１０】
本発明では、前記電極棒駆動装置を電磁コイル式バイブレータとすることができる。この場合、電磁コイル式バイブレータ駆動用直流電源端子と、前記電磁コイル式バイブレータを制御する電磁コイル式バイブレータ制御回路（例えば、手動オン・オフスイッチとすることもできる）とを備えることができる。　また、前記電極棒駆動装置をモータとすることができる。この場合、前記モータ駆動用直流電源端子と、前記モータを制御するするモータ制御回路（例えば、手動オン・オフスイッチとすることもできる）とを備えることができる。なお、モータの回転数には制限はなく、例えば、数十ｒｐｍ〜数千ｒｐｍとすることができる。
【００１１】
本発明では、前記リレー回路を、電極棒接触検知回路からの検知信号を入力するフォトカプラと、当該フォトカプラからの信号に基づく駆動信号を出力する駆動信号生成部とから構成することができる。
【００１２】
本発明では、前記電極棒先端の前記金属ワークへの接触が頻繁に行なわれた場合、リレーが通常の使用態様よりも極めて多くなることがあるが、フォトカプラを用いたリレーを使用することで接点の劣化はほとんど生じない。
【００１３】
本発明では、前記電極棒接触検知回路は、一方の端子が前記電極棒に接続され、他方の端子がグランドされた１対の端子を備え、両端子間に所定電圧を印加し、前記一方の端子と前記他方の端子との間を流れる電流を検出することで、前記電極棒先端の、前記金属ワークへの接触または非接触を検知するように構成できる。
この接触・非接触の検知に際しては、前記電極棒接触検知回路は、グランドされた人体抵抗を介して取得した電流信号を、前記金属ワークへの非接触信号として検知することができる。前記電極棒接触検知回路の検出端子検出電流を求めることで、前記両端子間の抵抗を求め、人体抵抗を介した電流値と判断できるときは、半導体スイッチ制御回路による半導体スイッチへの制御信号の出力を停止させる。
【００１４】
本発明では、前記電極棒の先端に空気絶縁用の不活性ガスを供給する不活性ガス供給構造を備えることができる。この不活性ガス供給構造は、前記電極棒を先端を残して当該電極棒と非接触状態で当該電極棒を包み込む筒体と、前記筒体内に前記不活性ガスを供給する不活性ガス供給部と、前記不活性ガスを、前記筒体内から前記電極棒の先端に向けて排出する不活性ガス排出部とを含むことができる。この場合、前記不活性ガスは、ガスボンベから前記不活性ガス供給構造に送出することができる。
【００１５】
本発明では、前記金属ワークをグランド電位に付勢する金属ワーク接地具を備えることができる。
【００１６】
本発明では、交流電力を入力する端子を備え、当該交流入力端子と、前記アーク用直流電源端子および／または前記電磁コイル式バイブレータ駆動用直流電源端子との間に、ＡＣ／ＤＣ変換器を備えることができる。なお、交流入力として、単相交流、３相交流何れであっても使用できる。
【００１７】
本発明では、放電式肉盛り装置は、肉盛り装置本体とガンタイプのハンディアプリケータとを有し、ハンディアプリケータは、少なくとも、前記電極棒と前記不活性ガス供給構造と前記電極棒駆動装置とが内蔵される。もちろん、これら以外であっても半導体スイッチ等、大きさが搭載可能な構成要素であれば、ハンディアプリケータ側にこれらの要素を搭載することができる。
【００１８】
【発明の実施の形態】
図１は、本発明の一実施形態にかかる肉盛り装置を示す回路図である。放電式肉盛り装置１は、電極棒１０７先端とグランド電位に付勢された金属ワークＷの肉盛り対象部Ｏ表面との間に放電を生じさせ、電極棒材を肉盛り対象部Ｏ表面に転移させるもので、肉盛り装置本体Ａと、ガンタイプのハンディアプリケータ（肉盛り銃）Ｂとを有している。肉盛り装置本体ＡおよびハンディアプリケータＢの外観については、図２および図３において後述する。
【００１９】
図１の放電式肉盛り装置１では、商用交流電力をトランス１０１を介して所定電圧の交流電力に変換し（同一電圧に変換することもある）、当該交流電力を整流器１０２を介して直流電力に変換する。整流器（図示しないがここではダイオードブリッジからなる）１０２の後段には平滑コンデンサ１０３および抵抗１０４が接続されており、抵抗１０４の出力側には、出力用コンデンサ１０５が接続されている。図１では出力用コンデンサ１０５は可変コンデンサとして示されているが、実回路では、複数のコンデンサの接続を切り替えることで、出力用コンデンサ１０５の容量に相当する容量を得ている。アーク用直流電源端子は、例えば、図１では出力用コンデンサ１０５の出力端子ａ１，ａ２である。
【００２０】
出力用コンデンサ１０５に充電された電圧は、サイリスタ１０６を介して電極棒１０７に印加される。サイリスタ１０６の制御端子ｇには、サイリスタ制御回路１０８から所定周波数ｆａの制御信号（パルス）が供給され、電極棒１０７には当該周波数ｆａのパルス電圧が印加される。本実施形態では、周波数ｆａは周波数設定回路１０９により設定することができる。
【００２１】
一方、電極棒１０７は、電極棒駆動装置、例えば、モータ１１０により回転できるように取り付けられている。整流器１１１は、トランス１０１からの交流電力を直流電力に変換し、これを平滑コンデンサ１１２を介してモータ駆動回路１１３に供給する。モータ駆動用直流電源端子は、例えば、図１では平滑コンデンサ１１２の出力端子ｂ１，ｂ２である。モータ駆動回路１１３は、設定された回転数で、モータ１１０を駆動する。
【００２２】
肉盛り対象となる金属ワークＷは、グランドされており、電極棒１０７の先端は回転した状態で金属ワークＷの、肉盛り対象部Ｏの表面との間での放電を生じさせる。この放電に際しては、不活性ガスボンベ１１４から、開閉信号により動作するバルブ１１５を介して不活性ガスが、ハンディアプリケータＢに供給される。ハンディアプリケータＢは、電極棒１０７の先端を残して、周囲を包み込む先端開口の筒体１１６を備えている。電極棒１０７先端と肉盛り対象部Ｏの表面との間での放電に際しては、この筒体１１６に送り込まれた不活性ガスは、当該筒体１１６の先端から放出され、電極棒１０７先端部分を空気から絶縁することができる。
【００２３】
図１の放電式肉盛り装置１では、サイリスタ１０６の出力電圧（この場合には電極棒１０７に印加される平均電圧Ｖｏ）が、グランド電位Ｖｇｎｄ（０Ｖ）になったか否かを出力電圧検出器１１７により検出している。出力電圧検出器１１７の一方の端子（ｃ１）はダイオード１１８（ここでは、直列接続された２つのダイオード）を介してサイリスタ１０６の出力端子（カソード）側に接続され、他方の端子（ｃ２）はグランドされている（すなわち、金属ワークＷと同電位とされたＧＮＤ端子とされている）。電極棒接触検知回路は、電極棒１０７先端の、金属ワークＷへの接触または非接触を検知するもので、例えば、上述した出力電圧検出器１１７とダイオード１１８とを有している。
【００２４】
出力電圧検出器１１７には、グランド電位Ｖｇｎｄを検知するとオン信号を出力するフォトカプラ１１９が接続されている。フォトカプラ１１９の出力側端子は駆動・非駆動信号送出回路１２０に接続されている。駆動・非駆動信号送出回路１２０は、フォトカプラ１１９がオン状態となっているときは、サイリスタ制御回路１０８を駆動状態とし（すなわち、サイリスタ制御回路１０８に制御信号出力を開始させ）、フォトカプラ１１９がオフ状態となっているときは、サイリスタ制御回路１０８を非駆動状態とする（すなわち、サイリスタ制御回路１０８に制御信号出力を停止させ）。
つまり、電極棒接触検知回路が、電極棒１０７先端の金属ワークＷへの接触を検知したときは、半導体スイッチ制御回路（例えば、サイリスタ制御回路１０８）に、前記半導体スイッチ（例えば、サイリスタ１０６）への制御信号出力を開始させ、電極棒１０７先端の金属ワークＷへの非接触を検知したときは、前記半導体スイッチ制御回路に、前記半導体スイッチへの制御信号出力を停止させる指令信号をリレー回路により行っている。ここで、リレー回路は、例えば、電極棒接触検知回路からの検知信号を入力するフォトカプラ１１９と、当該フォトカプラ１１９からの信号に基づく駆動信号を出力する駆動信号生成部とを有する。この駆動信号生成部は、フォトカプラ１１９からの信号に基づく駆動信号を出力する駆動・非駆動信号送出回路１２０により実現される。
なお、出力電圧検出器１１７、フォトカプラ１１９および駆動・非駆動信号送出回路１２０とを、ＳＳＲ（ソリッドステートリレー）ユニットを用いて構成することができる。
【００２５】
出力電圧検出器１１７のダイオード１１８が接続された端子（ｃ１）には、所定直流電圧（たとえば５Ｖ）が与えられている。出力電圧検出器１１７は、ダイオード１１８，電極棒１０７，金属ワークＷ，ＧＮＤ端子（ｃ２）の経路流れる検出電流Ｉｄｔｃｔが、所定電流しきい値Ｉ　ｓｈを超えたときにフォトカプラ１１９にオン信号を出力する。
このしきい値は、適宜変更できるようにしておくことができる。たとえば、ｃ１，ｃ２間が実質上短絡されているときに流れる電流値をＩｓｈｒｔとし、人体抵抗を介して流れる電流値をＩｂｄｙとしたときに、電流しきい値Ｉ　ｓｈを、
Ｉｂｄｙ＜　Ｉｓｈ≦Ｉｓｈｒｔ
とすることで、オペレータが電極棒１０７に触れても、出力電圧検出器１１７がフォトカプラ１１９にオン信号を出力しないようにできる。
【００２６】
本実施形態では、回転する電極棒１０７の先端を、肉盛り対象部Ｏの表面に、接触・非接触を繰り返すように、ハンディアプリケータＢを操作することができる。
この場合、電極棒１０７の先端と肉盛り対象部Ｏの表面とが離れているときに、出力電圧検出器１１７はフォトカプラ１１９にオン信号を出力せず（すなわち、サイリスタ制御回路１０８は駆動せず）、電極棒１０７の先端と、肉盛り対象部Ｏの表面とが接触しているときに、出力電圧検出器１１７がフォトカプラ１１９にオン信号を出力する（すなわち、サイリスタ制御回路１０８が駆動する）ように、電流しきい値Ｉ　ｓｈを設定することができる。この場合、フォトカプラ１１９は、高速でオン・オフを繰り返すことになる。フォトカプラ１１９を使用しないリレーを用いた場合（電磁コイル駆動式のリレー）を用いた場合には、接点に機械的な劣化が生じることがあるが、フォトカプラ１１９をリレーとして用いる場合にはこのような不都合は生じない。なお、電極棒１０７の先端と肉盛り対象部Ｏの表面とがわずかに離れたときに、出力電圧検出器１１７がフォトカプラ１１９にオフ信号を出力しても、サイリスタ１０６がターンオフするまでの時間はゼロではないので、放電が行なわれる。
【００２７】
また、放電状態によっては、電極棒１０７の先端と、肉盛り対象部Ｏの表面とが実質上接触している場合もある。このときには、出力電圧検出器１１７がフォトカプラ１１９にオン信号を出力し続けるように（すなわち、サイリスタ制御回路１０８が駆動し続ける）ように電流しきい値Ｉ　ｓｈを設定することができる。
図２は、図１　に示した回路を備えた放電式肉盛り装置１の外観図である。図１において、放電式肉盛り装置１は、装置本体ＡとガンタイプのハンディアプリケータＢとからなる。図３にハンディアプリケータＢの銃身部前端側の部分切欠き図を示す。
【００２８】
肉盛り装置本体Ａは、単相電力（ＡＣ１００Ｖ）用のコンセント２０１を備えており、前面パネルには主電源オン・オフ用のメインスイッチ２０２、出力電圧レベル（後述するパルス）を手動調節するための電圧レベル切換え器２０３、出力パルス電圧の周波数を手動調節する周波数調整摘み２０４、および出力部２０５が設けられている。出力部２０５には２０〜１，０００ヘルツのパルス電圧を出力するパルス電源端子（図１のサイリスタ１０６からの出力）、モータ駆動電源端子、ハンディアプリケータＢからの制御信号を入力する端子等の端子群２０５１、アース端子２０５２および不活性ガス送出口２０５３が設けられている。
【００２９】
端子群２０５１は、ケーブル２０６を介してハンディアプリケータＢに接続され、アース端子２０５２は、ケーブル２０７を介して金属ワークＷに接続される。なお、金属ワーク接地具は、金属ワークＷをグランド電位に付勢するもので、例えば、ケーブル２０７の先端に設けられたクリップ２０８である。このクリップ２０８は、金属ワークＷの適宜個所に取り付けられる。不活性ガス送出口２０５３にはガスホース２０９が接続されており、このガスホース２０９を介してハンディアプリケータＢに不活性ガスを供給する。肉盛り装置本体Ａには、不活性ガス（アルゴンガス等）ボンベ１１４が付属しており、図示しない電磁バルブ（図１の符号１１５参照）が開となることで、内部のガスは不活性ガス送出口２０５３から送り出される。
【００３０】
ハンディアプリケータＢは、把持部３１と銃身部３２とを有し、把持部３１前面の引き金部分には、回転速度調節機能付きのモータ用のオン・オフスイッチ３１１が設けられている。銃身部３２にはしないモータ（図１の符号１１０）が内蔵され、電極棒１０７は当該モータの回転軸に取り付けられている。
ハンディアプリケータＢの銃身部３２の前端側には、電極棒１０７の先端を残して電極棒１０７と非接触状態で当該電極棒を包み込む筒体１１６が設けられている。銃身部３２の内部には、不活性ガス導入口２１０が設けられており、ガスホース２０９を介して送られた不活性ガスを筒体１１６に導入する。
なお、電極棒１０７として、例えば、Ｎｉ；２０〜１００重量％、Ｍｏ；５〜２０重量％、Ｃｒ；１０〜３０重量％、Ｆｅ；１〜２０重量％のニッケル合金であって、外径が１〜１０ｍｍのものが用いられる。
【００３１】
【発明の効果】
本発明によれば、電極棒が肉盛り対象に接触していないときは、電極棒に電力を供給しないことで、電力消費の節減を図ることができ、しかも電極棒先端への接触による感電の危険性を解消することができる。
【図面の簡単な説明】
【図１】本発明の一実施形態にかかる肉盛り装置を示す回路図である。
【図２】図１　に示した回路を備えた放電式肉盛り装置の外観図である。
【図３】図２に示したハンディアプリケータの銃身部前端側の部分切欠き図である。
【図４】従来の肉盛り装置を示す回路図である。
【符号の説明】
１　放電式肉盛り装置
３１　把持部
３２　銃身部
１０１　トランス
１０２　整流器
１０３　平滑コンデンサ
１０４　抵抗
１０５　出力用コンデンサ
１０６　サイリスタ
１０７　電極棒
１０６　サイリスタ
１０８　サイリスタ制御回路
１０９　周波数設定回路
１１０　モータ
１１１　整流器
１１２　平滑コンデンサ
１１３　モータ駆動回路
１１４　不活性ガスボンベ
１１５　バルブ
１１６　筒体
１１７　出力電圧検出器
１１８　ダイオード
１１９　フォトカプラ
１２０　駆動・非駆動信号送出回路
２０１　コンセント
２０２　メインスイッチ
２０３　電圧レベル切換え器
２０４　周波数調整摘み
２０５　出力部
２０６，２０７　ケーブル
１０７　電極棒
２０８　クリップ
２０９　ガスホース
２１０　不活性ガス導入口
３１１　オン・オフスイッチ
２０５１　端子群
２０５２　アース端子
２０５３　不活性ガス送出口
Ａ　装置本体
Ｂ　ハンディアプリケータ
ａ１，ａ２，ｂ１，ｂ２　直流入力端子
ｃ１，ｃ２　出力電圧検出器の検出端子
ｆａ　周波数
ｇ　制御端子
Ｏ　肉盛り対象部
Ｗ　金属ワーク
【図１】
2004105979.tif 000003
【図２】
2004105979.tif 000004
【図３】
2004105979.tif 000005
【図４】
2004105979.tif 000006